(57)【特許請求の範囲】
【請求項１】
洗面ボウルと、この洗面ボウルの下方に設けられる下部スペースに格納自在な座台とを有し、
上記座台は、水平方向に引き出し可能な収納箱と、ロック機構と、を備え、
該ロック機構は、上記座台に軸支される連結部材と、この連結部材に連結されロック開閉操作を行う操作レバーと、上記連結部材に連結され上記操作レバーに連動するロックピンとを有し、
前記連結部材の回転軸が、前記ロックピンと、前記操作レバーとの間に位置し、操作レバーを上方に持ち上げることで、ロックピンが下がってロック状態が解除されるように構成されると共に、
前記操作レバーが、前記連結部材の回転軸と平行に、かつ前記座台の幅方向に延びた棒状部材として構成され、
上記ロック機構により、上記座台を上記下部スペースに格納した状態を保持することができ、
更にロック状態が解除され、上記座台が上記下部スペースから引き出され、上記洗面ボウルの下面と上記座台の座面との間に間隙を有して着座可能に構成されると共に、着座状態で収納箱が引き出し可能に構成されていることを特徴とする座台付き洗面台。
【請求項２】
前記収納箱は、座台の側部及び後部のいずれからも水平方向に引き出し可能に構成されていることを特徴とする請求項１記載の座台付き洗面台。
【発明の詳細な説明】
【技術分野】
【０００１】
本発明は、洗面化粧台等の下部スペースに格納自在な可動式収納座台を備える座台付き洗面台に関する。
【背景技術】
【０００２】
従来、洗面ボウルと、この洗面ボウルの下方に設けられた下部スペースとを有する、洗面化粧台等とも呼ばれる洗面台は、下部スペースの前面に、片開き或いは特許文献１に開示されているように、観音開き方式で開放可能に構成される開閉自在な扉が取り付けられたものがあった。特に、特許文献１の洗面台によれば、下部スペース前面の開閉扉を開放しつつ、下部スペースの内底部に取り外し可能に配設される底板を取り外した状態においては、車椅子のまま洗面台に向かうことが可能となるという利点がある。
【０００３】
しかしながら、洗面台下方の下部スペースに車椅子を出し入れできるようにすることによって、元々収納スペースとして利用されていた下部スペースを、洗面台の不使用時にはデッドスペース化してしまうという問題があった。そこで、特許文献２には、図１５に示すように、洗面ボウル１２１の直下部に引き出し式の収納箱１１６を備え、この収納箱１１６の下方に下部スペース１２４を開放可能な空間として設定しつつ、可動式で下部スペース１２４に格納し得、且つ、内部に適宜の物品を収納し得るように構成された座台１１０を備えて、座台１１０付き洗面台１２０とすることによって、下部スペース１２４のデッドスペース化を避けつつ、足腰の弱い者であっても向き合って着座しながら使用することができるに構成された洗面台１２０が開示されている。
【０００４】
特許文献２に開示されている洗面台１２０の下部スペース１２４に格納可能な座台１１０は、上部が開口した箱状の座台本体１１１の上部に、前記開口を開放可能に閉塞する座面１１２が配設され、蓋状に配設された座面１１２を開放することによって内部に適宜の物品を収納することができるように構成すると共に、座台本体１１１の前面には、背
凭れ状の前板１１３が取り付けられ寄り掛かることが可能なように構成されている。
【特許文献１】特開２００１−２９２９１９号公報
【特許文献２】特開２００７−３０７２１４号公報
【発明の開示】
【発明が解決しようとする課題】
【０００５】
しかしながら、住宅用の一般的な洗面台においては標準高さが設定されているので、図１５に示す洗面台１２０のように、洗面ボウル１２１の直下部に引き出し式の収納箱１１６を設定すると、これに応じて座台１１０の高さを低めに設定しなければならなくなり、その分、使用性が低下するという問題があった。
【０００６】
また、座台１１０の内部には、適宜の物品が収納可能になってはいるものの、座面１１２を退かさなければ座台１１０の上部の開口を開放することができず、従って、座台１１０に着座した状態では、物品を出し入れすることができないという問題があった。
そこで、座台１１０に水平方向に引き出し可能な扉等を設定することも考えられるが、このように設定した場合には、座台１１０を洗面ボウル１２１の下方の下部スペース１２４に格納した状態で座台１１０の扉等を引き出そうとした場合に、扉等のみならず座台１１０ごと引き出されてしまうという問題が生じる可能性がある。また、座台からステップを引き出した場合には、子供や背の低い者が前記ステップに乗ることによって洗面ボウルの高さに応じることができるようになるが、座台自在が揺動したり、滑走してしまう畏れがある。
【０００７】
本発明は、上記問題点に鑑みて創作されたものであり、洗面台においてその下方の下部スペースを開放可能な空間としつつ、この下部スペースに格納可能であって、内部に適宜の物品を収納可能な座台を備えることによって、下部スペースを固定的な収納スペースとすることなく、また下部スペースをデッドスペース化することなく、一定の収納スペースを確保しつつも、着座状態で洗面台を使用でき、また着座状態であっても収納スペースに対する物品の出し入れを可能とし、更に、背の低い者であっても洗面ボウルの高さに応じることができる座台付き洗面台を提供することを目的とする。
【課題を解決するための手段】
【０００８】
上記目的を達成するため、本発明にかかる座台付き洗面台は、洗面ボウルと、この洗面ボウルの下方に設けられる下部スペースに格納自在な座台とを有し、上記座台は、水平方向に引き出し可能な収納箱と、ロック機構と、を備え、該ロック機構は、上記座台に軸支される連結部材と、この連結部材に連結されロック開閉操作を行う操作レバーと、上記連結部材に連結され上記操作レバーに連動するロックピンとを有し、前記連結部材の回転軸が、前記ロックピンと、前記操作レバーとの間に位置し、操作レバーを上方に持ち上げることで、ロックピンが下がってロック状態が解除されるように構成されると共に、前記操作レバーが、前記連結部材の回転軸と平行に、かつ前記座台の幅方向に延びた棒状部材として構成され、上記ロック機構により、上記座台を上記下部スペースに格納した状態を保持することができ、更にロック状態が解除され、上記座台が上記下部スペースから引き出され、上記洗面ボウルの下面と上記座台の座面との間に間隙を有して着座可能に構成されると共に、着座状態で収納箱が引き出し可能に構成されていることを特徴とする。
【０００９】
特に、連結部材の回転軸が、ロックピンと、操作レバーとの間に位置し、操作レバーを上方に持ち上げることで、ロックピンが下がってロック状態が解除されるように構成されている。
また、前記操作レバーが、前記連結部材の回転軸と平行に、かつ前記座台の幅方向に延びた棒状部材として構成されているため、タオルや手拭等を操作レバーに掛けることができるように構成することができる。
更に、ロック状態が解除され、上記座台が上記下部スペースから引き出され、上記洗面ボウルの下面と上記座台の座面との間に間隙を有して着座可能に構成されると共に、着座状態で収納箱が引き出し可能に構成されている。
【００１０】
ここで、前記収納箱は、座台の側部及び後部のいずれからも水平方向に引き出し可能に構成されているのが望ましい。
【発明の効果】
【００１１】
本発明によれば、洗面ボウルの下方に、下部スペースのみを設定したことにより、下部スペースの高さを極力高めに設定することが可能になった。これにより、下部スペースに格納可能に構成される座台の高さを好ましい高さに設定しながらも、洗面ボウルの下面と座台の座面との間に、着座するのに必要な間隙を十分に確保することが可能となる。
【００１２】
また、座台は、十分に高さを高く設定することができるので、その内部には、適宜の物品等を収納可能な大容量の収納スペースを確保することができる。また、座台は、その内部の収納スペースに対して水平方向から出し入れすることができる収納箱を設定したことにより、下部スペースに座台を格納したままであっても、或いは、座台に着座した状態であっても座台内部の収納スペースに対する物品の出し入れができる。
【００１３】
更に、座台には、下部スペースに座台を格納した状態を保持することができるロック機構を設けたことにより、格納状態を保持しながらも簡便に座台の収納箱を水平方向に引き出して使用することができる。従って、座台の揺動や滑走を防止しながら座台の収納箱を出し入れすることが可能となり、例えば、ステップ状に形成された収納箱に乗って洗面作業をする場合には、子供や背が低い者であっても安全に洗面台を使用することができる。
【発明を実施するための最良の形態】
【００１４】
以下、本発明の好ましい実施の形態を、図１〜図１４を参照しながら詳細に説明する。実施形態の座台付き洗面台２０は、洗面ボウル２１の背面側に立設される鏡２２と、可動式であって内部に適宜の物品を出し入れ容易な収納を有する座台１０とを備えた洗面台２０であって、着座しながら洗面を行うことができ、且つ、収納利用を簡便化するためのものである。
【００１５】
本実施形態の座台付き洗面台２０は、図１に示すように、洗面ボウル２１と、この洗面ボウル２１の下方の左右に立設される側面板２３,２３によって囲繞されて設けられる下部スペース２４と、洗面ボウル２１の背面側に洗面ボウル２１の高さを越えて立設される背面板２５と、この背面板２５の上部に配設される鏡２２とから構成される洗面台２０と、洗面台２０の下部スペース２４に格納可能な座台１０とを備える。
【００１６】
洗面台２０は、上水道（図示省略）と下水道（図示省略）とがそれぞれ配管された洗面所（図示省略）等に固定的に設置されるものである。洗面ボウル２１の周縁の後部中央には、上水道に連結された蛇口２６が配設される。洗面ボウル２１の内底部の中央は、最も高さが低く設定されると共に、下水道に連結された排水口２７が形成される。洗面台２０の背面側に立設された背面板２５は、背面板２５の上半部即ち、洗面ボウル２１の背面側の周縁の高さ以上の部分に、方形状の鏡２２が配設される。洗面ボウル２１の下方に設けられる下部スペース２４は、洗面ボウル２１の高さ位置が標準的な高さになるように設定された左右の側面板２３,２３と、背面板２５の下半部とによって三方が囲繞され、前方側が開放された空間であり、座台１０を程良く格納することができるように構成される。
【００１７】
座台１０は、略直方体状の座台本体１１と、座台本体１１の上面に設けられる着座可能な座面１２と、座面１２の前面側の縁部に沿って立設される低い背凭れ状の立設部１３と、この立設部１３に連結される操作レバー１４と、座台１０を下部スペース２４に格納した状態を保持するためのロック機構１５と、座台本体１１の内部に引き出し可能に収納される三種類の収納箱１６,１７,１８と、座台本体１１の下面に取り付けられるキャスタ１９とを備える。座台１０の座面１２から洗面ボウル２１の下面との間には、人１が着座した状態で大腿部２が十分に入るサイズの間隙が設定され、人１が着座することができるように構成される。
【００１８】
ロック機構１５は、図２に示すように、座台１０の座面１２の立設部１３に軸支される連結部材１５ａと、この連結部材１５ａに連結されロック開閉操作を行う操作レバー１４と、連結部材１５ａに連結され操作レバー１４に連動するロックピン１５ｃとを有する。連結部材１５ａは、前後方向に長い板状の部材であり、立設部１３の左右の端部付近において、それぞれ座台１０の前後方向に連結部材１５ａの長手方向が向けられて、この長手方向の中央部が座台１０の幅方向に延びた回転軸１５ｄによって軸支される。操作レバー１４は、座台１０の幅方向に延びた棒状部１４ａを有し、この棒状部１４ａの両端が棒状部１４ａに対してそれぞれ略垂直に曲げられて操作レバー部１５ｂを成し、これら左右の操作レバー部１５ｂが、立設部１３の前部の両端における高さ方向の中央付近からそれぞれ前方斜め上方に向かって延び上がるように配設される。
【００１９】
左右の操作レバー部１５ｂの基端部は、それぞれ前後方向に長い連結部材１５ａの前端側に、軸体１５ｅによって軸支される。ロックピン１５ｃは、鉛直方向に長い棒状の部材であり、下端部が連結部材１５ａの後端側に、軸体１５ｆによって軸支される。ロック機構１５は、座台１０を下部スペース２４に格納して定位置に配置した状態で、操作レバー１４の棒状部１４ａを降下させた際に、これに連動してロックピン１５ｃがロックピンホール２８に係入することによってロック状態が得られるように構成される。勿論、ロック状態においては、座台１０は下部スペース２４内の定位置に固定される。このロック状態の解除は、操作レバー１４の棒状部１４ａを持ち上げることに連動してロックピン１５ｃが降下してロックピンホール２８から抜けることによってなされる。
【００２０】
座台本体１１の下面に配設されるキャスタ１９は、座台本体１１の下面の四つ角部位にそれぞれ一つずつ合計四つ取り付けられ、座台１０が前後方向に水平移動し得るように構成される。なお、下部スペース２４の下面には、下部スペース２４内に座台１０を格納した際に、座台１０が定位置に格納されるようにするため、図３に示すように、座台ガイド２９を設けてもよい。また、座台１０の可動は、必ずしも座台本体１１の下面に取り付けられるキャスタ１９によらなければならないというものではなく、例えば、図４に示すように、座台本体１１の下面にはキャスタ１９の代わりにスライダ１９ａを設け、下部スペース２４の下面の左右位置から洗面台２０の前方に向かってそれぞれ延びるレール状の部材である座台ガイド２９ａを配設し、この座台ガイド２９ａに沿って座台本体１１の下面のスライダ１９ａが摺動するように構成することもできる。
【００２１】
座台本体１１は、内部が下段と上段とに画成される。下段は、広く一区画になっていて、上段は、右側の細長い比較的狭い区画と、左側の比較的広い区画と、の二区画になっている。図５に示すように、座台本体１１の内部に引き出し可能に収納される収納箱１６,１７,１８は、下段に位置する第一の収納箱１６と、上段右側に位置する第二の収納箱１７と、上段左側に位置する第三の収納箱１８とから構成される。
【００２２】
第一の収納箱１６は、座台本体１１の下部に収納され、図５に示すように、水平方向に引き出すことができるように構成される。第一の収納箱１６は、長方形状の底部と、この底部の周縁から立設される四角い枠状の枠状部とを備え、この枠状部の上部を開放可能に閉止する蓋体１６ａが配設される。枠状部の前面の中央には、把手１６ｂが取り付けられ、第一の収納箱１６を手前に引き出すことができるようになっている。この第一の収納箱１６は、枠状部の上部を蓋体１６ａで閉止している状態においては、蓋体１６ａの上部に人が乗ることができるように構成され、ステップとしての役割を果たすようになっている。
【００２３】
第二の収納箱１７及び第三の収納箱１８は、前後方向に長い長方形状の底面と、この底面の周縁から立設される四角い枠状部と、この枠状部の前面の中央に取り付けられる把手１７ａ及び１８ａと、を有する。第二の収納箱１７及び第三の収納箱１８は、手前に引き出し可能に構成され、収納として利用できるように構成される。
【００２４】
第三の収納箱は、変形例として、図６及び図７に示す第三の収納箱１８Ａのように、長方形状の底部と、この底部の周縁から立設される四角い枠状の枠状部とから構成されてもよい。この枠状部の前面と左側の側面には、それぞれ中央に把手１８Ａａ,１８Ａｂが掘り込まれて形成される。この第三の収納箱１８Ａは、座台本体１１の上段左側の区画内に位置する状態から枠状部の前面側の把手１８Ａａを持って手前側に引き出すことができ、且つ、座台本体１１の上段左側の区画内に位置する状態から枠状部の左側面側の把手１８Ａｂを持って左側に引き出すこともできるように構成されている。すなわち、座台の側部及び後部のいずれからも引き出し可能である。なお、この第三の収納箱１８Ａを設定する場合には、座台本体１１の上段左側の区画の底部には、前後方向に延びた前後スライドガイド１８ｃと幅方向に延びた左右スライドガイド１８ｄとが交差したスライドガイドを設け、前後及び左右方向における第三の収納箱１８Ａの摺動をし易くすることが好ましい。
【００２５】
第三の収納箱は、別の変形例として、図８及び図９に示す収納箱１８Ｂのように、直角扇形の底部と、この底部の周縁から立設する扇形の枠状の枠状部とから構成され、この扇形の直角部位を鉛直方向に長い軸棒１８Ｂａで、座台本体１１の上段の左側手前角部に軸支して、この軸棒１８Ｂａを中心として、左回転又は右回転させて水平方向に、すなわち座台の側部及び後部のいずれからも引き出し得るように構成することもできる。
【００２６】
本実施形態の座台１０付き洗面台２０は、以上のように構成され、例えば、図１０に示すように、座台１０の座面１２に形成された立設部１３に連結される操作レバー１４の棒状部１４ａをタオル３掛けとして利用することができる。また、当該座台１０付き洗面台２０は、図２及び図１１に示すように、操作レバー１４の棒状部１４ａを、上方に持ち上げてロック機構１５によるロックを解除して、洗面台２０の下部スペース２４に格納されていた座台１０を手前に引き出すことができるようになっている。更に、手前に引き出した座台１０には、図１２に示すように、座台１０の上面に形成された座面１２に人１が着座することが可能であり、座台１０の座面１２と洗面ボウル２１の下面との間に十分な間隙が形成されていることから、洗面台２０に向かって着座しながら洗面作業を行い得るように構成されている。
【００２７】
また、座台本体１１の上段左側に収納された第三の収納箱１８は、洗面台２０に向かって座台１０に着座した状態のままであっても、水平方向に引き出してその内部に収納された適宜の物品を取り出したりして使用することが可能である。特に、座台本体１１の上段左側に回転可能に軸支された扇型の第三の収納箱１８Ｂの場合には、図１３に示すように、着座状態においては左回転で第三の収納箱１８Ｂを左側面方向に引き出し、座台１０を下部スペース２４に格納した状態においては、右回転で第三の収納箱１８Ｂを手前方向に引き出して使用し得るようになっている。
【００２８】
また、座台本体１１の下段に収納された第一の収納箱１６は、座台１０自体を下部スペース２４内に格納した状態をロック機構１５によってロックして置きながら手前に引き出すことができ、これによれば、第一の収納箱１６を手前に引き出す操作によって、座台１０ごと下部スペース２４から引き出されてしまうことが防止される上、第一の収納箱１６を手前に引き出した状態においては、図１４（ａ）に示すように、この第一の収納箱１６の蓋体１６ａに人１が乗ることが可能であり、従って、子供や背が低い者であっても第一の収納箱１６をステップとして利用することによって洗面ボウル２１の高さに応じることができるという利点がある。
【００２９】
勿論、第一の収納箱１６は、図１４（ｂ）に示すように、座台本体１１から第一の収納箱１６を手前に引き出しておきながら蓋体１６ａを開ければ、第一の収納箱１６の内部を収納として利用することが出来るように構成されている。
【００３０】
以上説明したように、本発明の座台１０付き洗面台２０は、洗面ボウル２１の下方に下部スペース２４を設けて、この下部スペース２４に格納可能であって、その内部に水平方向に引き出し可能な収納スペースを設け、ロック機構１５によって座台１０を下部スペース２４に格納した状態を保持し得るように構成したものであって、その主旨を逸脱しない範囲において様々な形態で実施することができる。例えば、ロック機構は実施形態の構造に限られず、ばね式、ロック式等の構造を採用することができる。
【図面の簡単な説明】
【００３１】
【図１】（ａ）は、実施形態の座台付き洗面台の構成を示す斜視図であり、洗面台の下部スペースから座台を引き出す過程を示したものである。（ｂ）は、洗面台の下部スペースから座台を引き出した状態を示す斜視図である。
【図２】（ａ）は、実施形態の座台を下部スペースに格納した状態の左側面から見た部分透視図であり、ロック機構の構成を示す簡略図である。（ｂ）は、（ａ）のロック機構部の拡大図である。
【図３】（ａ）は、座台の可動の一方式を説明する概念図であって、洗面台と座台の斜視図である。（ｂ）は、（ａ）の座台が座台ガイドによって案内される様子を示す平面透視図である。
【図４】（ａ）は、座台の可動の別の方式を説明する概念図であって、洗面台と座台の斜視図である。（ｂ）は、（ａ）の座台が座台ガイドによって案内される様子を示す平面透視図である。
【図５】洗面台の下部スペースに座台を格納した状態で、第一の収納箱を手前に引き出した状態を示す斜視図である。
【図６】（ａ）は、座台の前方左方に引き出し可能な第三の収納箱を手前に引き出した状態を示す斜視図であり、（ｂ）は（ａ）の平面透視図である。
【図７】（ａ）は、座台の前方左方に引き出し可能な第三の収納箱を左側に引き出した状態を示す斜視図であり、（ｂ）は（ａ）の平面透視図である。
【図８】（ａ）は、座台の回転式に引き出し可能な第三の収納箱を右回転で手前に引き出した状態を示す斜視図であり、（ｂ）は（ａ）の平面透視図である。
【図９】（ａ）は、座台の回転式に引き出し可能な第三の収納箱を左回転で左側に引き出した状態を示す斜視図であり、（ｂ）は（ａ）の平面透視図である。
【図１０】下部スペースに格納された座台の操作レバーの棒状部にタオルを掛けている状態を示す斜視図である。
【図１１】下部スペースに格納されていた座台を、人が操作レバーを持ち上げてロックを解除して、手前に引き出している状態を示す簡略斜視図である。
【図１２】下部スペースから手前に引き出した座台に、人が着座して洗面ボウルで洗面している状態を示す簡略斜視図である。
【図１３】（ａ）は、下部スペースから手前に引き出した座台に、人が着座しながら扇形の第三の収納箱を左回転させて左側に引き出した状態を示す簡略斜視図である。（ｂ）は、下部スペースに格納された座台の扇形の第三の収納箱を、人が右回転させて手前に引き出した状態を示す簡略斜視図である。
【図１４】（ａ）は、下部スペースに格納された座台の第一の収納箱を手前に引き出して、人がその蓋体の上部に乗って、第一の収納箱をステップとして利用している状態を示す簡略斜視図である。（ｂ）は、下部スペースに格納された座台の第一の収納箱を手前に引き出して、人がその蓋体を開けて、第一の収納箱を収納として利用している状態を示す簡略斜視図である。
【図１５】（ａ）は、従来の座台付き洗面台の斜視図であって、下部スペースに座台を下部スペースに格納している状態を示す図である。（ｂ）は、（ａ）に示す座台付き洗面台の下部スペースから座台を手前に引き出した状態を示す斜視図である。
【符号の説明】
【００３２】
１  人
２  大腿部
３  タオル
１０  座台
１１  座台本体
１２  座面
１３  立設部
１４  操作レバー
１４ａ  棒状部
１５  ロック機構
１５ａ  連結部材
１５ｂ  操作レバー部
１５ｃ  ロックピン
１５ｄ  回転軸
１５ｅ  軸体
１５ｆ  軸体
１６  第一の収納箱
１６ａ  蓋体
１６ｂ  把手
１７  第二の収納箱
１７ａ  把手
１８  第三の収納箱
１８ａ  把手
１８ｂ  把手
１８ｃ  前後スライドガイド
１８ｄ  左右スライドガイド
１８Ａ  第三の収納箱
１８Ａａ  軸棒
１９  キャスタ
１９ａ  スライダ
２０  洗面台
２１  洗面ボウル
２２  鏡
２３  側面板
２４  下部スペース
２５  背面板
２６  蛇口
２７  排水口
２８  ロックピンホール
２９  座台ガイド
２９ａ  座台ガイド
１１０  座台
１１１  座台本体
１１２  座面
１１３  前板
１１６  収納箱
１２０  洗面台
１２１  洗面ボウル
１２４  下部スペース
【図１】
0004864039.tif 000002
【図２】
0004864039.tif 000003
【図３】
0004864039.tif 000004
【図４】
0004864039.tif 000005
【図５】
0004864039.tif 000006
【図６】
0004864039.tif 000007
【図７】
0004864039.tif 000008
【図８】
0004864039.tif 000009
【図９】
0004864039.tif 000010
【図１０】
0004864039.tif 000011
【図１１】
0004864039.tif 000012
【図１２】
0004864039.tif 000013
【図１３】
0004864039.tif 000014
【図１４】
0004864039.tif 000015
【図１５】
0004864039.tif 000016